【手続補正書】
【提出日】令和2年8月4日(2020.8.4)
【手続補正１】
【補正対象書類名】特許請求の範囲
【補正対象項目名】全文
【補正方法】変更
【補正の内容】
【特許請求の範囲】
【請求項１】
熱力学サイクル装置であって、
（ｉ）第１の貯蔵媒体を収容する第１のリザーバと、
（ｉｉ）第２の貯蔵媒体を収容する第２のリザーバと、
（ｉｉｉ）前記第１のリザーバに熱結合され、前記第１の貯蔵媒体を冷却する低温部と、前記第２のリザーバに熱結合され、前記第２の貯蔵媒体を加熱する高温部とを有するヒートポンプと、
（ｉｖ）第１の作動流体の、第１の熱力学回路であって、
前記第１の作動流体を気化させて、第１の加圧蒸気を生成する第１の蒸発器と、
前記第１の加圧蒸気を膨張させる第１の膨張器と、
前記第１の膨張器から受けた第１の作動流体を凝縮し、第１の作動流体を前記第１の蒸発器に与える第１の凝縮器であって、前記第１の凝縮器は前記第１のリザーバに熱結合される、第１の凝縮器と
を備える第１の熱力学回路と、
（ｖ）第２の作動流体の、第２の熱力学回路であって、
前記第２の作動流体を気化させて、第２の加圧蒸気を生成する第２の蒸発器であって、前記第２の蒸発器は前記第２のリザーバに熱結合される、第２の蒸発器と、
前記第２の加圧蒸気を膨張させる第２の膨張器と、
前記第２の膨張器から受けた第２の作動流体を凝縮し、第２の作動流体を前記第２の蒸発器に与える第２の凝縮器と
を備える第２の熱力学回路と、
（ｖｉ）前記第１の熱力学回路に熱的に接続され、補助熱が前記第１の加圧蒸気の生成に寄与できるようにする補助熱入力手段と、
（ｖｉｉ）前記第２の熱力学回路に熱的に接続され、前記第２の作動流体から補助ヒートシンクへと熱を逃がすことができるようにする補助熱出力手段と
を備え、
前記第１の熱力学回路は前記第２の熱力学回路から熱的に独立しており、前記装置は、充填モードと貯蔵モードと放出モードとにおいて動作可能であり、
前記充填モードでは、前記ヒートポンプにエネルギーが加えられて、前記第１の貯蔵媒体が冷却され、前記第２の貯蔵媒体が加熱され、
前記貯蔵モードでは、冷却された第１の貯蔵媒体が前記第１のリザーバに貯蔵され、加熱された第２の貯蔵媒体が前記第２のリザーバに貯蔵され、
前記放出モードでは、前記第１の加圧蒸気が前記第１の膨張器により膨張し、及び／又は前記第２の加圧蒸気が前記第２の膨張器により膨張する、
熱力学サイクル装置。
【請求項２】
前記第１の膨張器及び前記第２の膨張器のうちの一方又は両方が、タービン、スクロール膨張器、スクリュー膨張器、テスラタービン又は往復機関を含む、請求項１に記載の装置。
【請求項３】
前記第１の膨張器及び前記第２の膨張器のうちの一方又は両方が、発電するための膨張器発電機を含む、請求項１に記載の装置。
【請求項４】
前記第１の熱力学回路及び前記第２の熱力学回路のうちの一方又は両方が、第１の作動流体又は第２の作動流体を循環させるポンプを含む、請求項１に記載の装置。
【請求項５】
前記補助熱入力手段を介して前記補助熱を前記第１の熱力学回路に与える補助熱源を更に備え、
前記補助熱源は、外部環境空気源と、建物内部からの空気源と、空調システム又は冷凍システムから廃棄される熱と、周囲水源と、地表源と、地熱源と、太陽熱源と、太陽池と、生物活性熱源と、工業プロセスからの廃熱と、発電技術の廃熱とのうちの１つ以上を含んでいてもよい、請求項１に記載の装置。
【請求項６】
前記第２の熱力学回路から前記補助熱出力手段を介して熱を受け取る補助ヒートシンクを更に備え、
前記補助ヒートシンクは、外部環境空気源と、建物内部からの空気源と、周囲水源と、地表源と、廃冷源とのうちの１つ以上を含んでいてもよい、請求項１に記載の装置。
【請求項７】
前記第２の熱力学回路が付加的な補助熱入力手段を備え、付加的な補助熱が前記第２の加圧蒸気の生成に寄与しうる、請求項１に記載の装置。
【請求項８】
前記第１の蒸発器と前記第１の膨張器との間に第１の過熱器を更に備え、前記第１の過熱器は前記第１の作動流体を過熱する、請求項１に記載の装置。
【請求項９】
前記第２の蒸発器と前記第２の膨張器との間に第２の過熱器を更に備え、前記第２の過熱器は前記第２の作動流体を過熱する、請求項１に記載の装置。
【請求項１０】
前記第２の凝縮器と前記第２の蒸発器との間に予熱器を更に備え、前記予熱器は前記第２の作動流体を加熱する、請求項１に記載の装置。
【請求項１１】
前記第１の貯蔵媒体及び前記第２の貯蔵媒体の一方又は両方が、カプセル化された相変化材料又はカプセル化されていない相変化材料を含む、請求項１に記載の装置。
【請求項１２】
前記ヒートポンプの低温部は、第１の熱伝達流体の第１の熱伝達回路によって前記第１のリザーバに熱結合される、請求項１に記載の装置。
【請求項１３】
前記第１の貯蔵媒体はカプセル化されていない相変化材料を含み、前記第１の熱伝達流体は前記第１の貯蔵媒体内に混和できないものである、請求項１２に記載の装置。
【請求項１４】
前記ヒートポンプの高温部は、第２の熱伝達流体の第２の熱伝達回路によって、前記第２のリザーバに熱結合される、請求項１に記載の装置。
【請求項１５】
前記第１のリザーバは第３の熱伝達流体の第３の熱伝達回路によって、前記第１の熱力学回路内の凝縮器に熱結合される、請求項１に記載の装置。
【請求項１６】
前記第２のリザーバは、第４の熱伝達流体の第４の熱伝達回路によって、前記第２の熱力学回路内の蒸発器に熱結合される、請求項１に記載の装置。
【請求項１７】
前記ヒートポンプが冷媒の冷凍回路を備え、
前記冷凍回路は、冷凍圧縮器と、冷凍蒸発器と、冷凍凝縮器又はガス冷却器と、前記冷媒を膨張させる冷凍膨張手段とを有していてもよく、
前記ヒートポンプの低温部が前記冷凍蒸発器を備え、
前記ヒートポンプの高温部が前記冷凍凝縮器又は前記ガス冷却器を備える、
請求項１に記載の装置。
【請求項１８】
前記第１の貯蔵媒体及び前記第２の貯蔵媒体のいずれか又は両方が、前記充填モード、前記貯蔵モード及び前記放出モードのいずれかにおける前記装置の動作中に相が変わらない液体を含む、請求項１に記載の装置。
【請求項１９】
前記第１のリザーバ及び前記第２のリザーバのいずれか又は両方に配置される１つ以上の熱交換器を更に備える請求項１に記載の装置。
【請求項２０】
前記第１の熱力学回路及び前記第２の熱力学回路の一方又は両方が、ランキンサイクル、ローレンツサイクル又はカリーナサイクルを含む、請求項１に記載の装置。
【請求項２１】
熱力学回路サイクル装置を動作させる方法であって、
（ａ）熱力学回路サイクル装置を設けるステップであって、前記熱力学回路サイクル装置は、
（ｉ）第１の貯蔵媒体を収容する第１のリザーバと、
（ｉｉ）第２の貯蔵媒体を収容する第２のリザーバと、
（ｉｉｉ）前記第１のリザーバに熱結合され、前記第１の貯蔵媒体を冷却する低温部と、前記第２のリザーバに熱結合され、前記第２の貯蔵媒体を加熱する高温部とを有するヒートポンプと、
（ｉｖ）第１の作動流体の、第１の熱力学回路であって、
前記第１の作動流体を気化させて、第１の加圧蒸気を生成する第１の蒸発器と、
前記第１の加圧蒸気を膨張させる第１の膨張器と、
前記第１の膨張器から受けた第１の作動流体を凝縮し、第１の作動流体を前記第１の蒸発器に与える第１の凝縮器であって、前記第１の凝縮器は前記第１のリザーバに熱結合される、第１の凝縮器と
を備える第１の熱力学回路と、
（ｖ）第２の作動流体の、第２の熱力学回路であって、
前記第２の作動流体を気化させて、第２の加圧蒸気を生成する第２の蒸発器であって、前記第２の蒸発器は前記第２のリザーバに熱結合される、第２の蒸発器と、
前記第２の加圧蒸気を膨張させる第２の膨張器と、
前記第２の膨張器から受けた第２の作動流体を凝縮し、第２の作動流体を前記第２の蒸発器に与える第２の凝縮器と
を備える第２の熱力学回路と、
（ｖｉ）前記第１の熱力学回路に熱的に接続される補助熱入力手段であって、補助熱が前記第１の加圧蒸気の生成に寄与できる、補助熱入力手段と、
（ｖｉｉ）前記第２の熱力学回路に熱的に接続される補助熱出力手段であって、前記第２の作動流体から補助ヒートシンクへと熱を逃がすことができ、前記第１の熱力学回路は前記第２の熱力学回路から熱的に独立している、補助熱出力手段と
を有する、ステップと、
（ｂ）前記ヒートポンプにエネルギーを加えて、前記第１の貯蔵媒体を冷却し、前記第２の貯蔵媒体を加熱することによって、前記装置を充填モードにおいて動作させるステップと、
（ｃ）冷却された第１の貯蔵媒体を前記第１のリザーバ内に貯蔵し、加熱された第２の貯蔵媒体を前記第２のリザーバ内に貯蔵することによって、前記装置を貯蔵モードにおいて動作させるステップと、
（ｄ）補助熱源を使用して、前記第１の蒸発器において前記第１の加圧蒸気を生成し、前記第１の膨張器により前記第１の加圧蒸気を膨張させ、前記第１の凝縮器において前記第１の作動流体を凝縮することによって、前記装置を第１の放出モードにおいて動作させるステップと、
（ｅ）前記第２のリザーバからの熱を使用して、前記第２の蒸発器において前記第２の加圧蒸気を生成し、前記第２の加圧蒸気を膨張させ、補助ヒートシンクを使用して、前記第２の凝縮器において前記第２の作動流体を凝縮することによって、前記装置を第２の放出モードにおいて動作させるステップと
を含み、
ステップ（ｄ）及び（ｅ）は同時に、かつ互いに独立して実行可能である、方法。
【請求項２２】
前記第１の貯蔵媒体及び前記第２の貯蔵媒体の一方又は両方が、カプセル化された相変化材料又はカプセル化されていない相変化材料を含み、
必要に応じて、
前記第１の貯蔵媒体がカプセル化されていない材料を含み、
前記方法は、前記充填モードの動作の終了時にスラリー又は断片化可能な固体として前記第１の貯蔵媒体を貯蔵するステップを含み、
及び／又は、
前記第２の貯蔵媒体はカプセル化されていない材料を含み、
前記方法は、前記第２の放出モードの動作の終了時にスラリー又は断片化可能な固体として前記第２の貯蔵媒体を貯蔵するステップを含む、
請求項２１に記載の方法。
【請求項２３】
前記第１の熱力学回路がシングルパス熱交換器を備え、
前記装置を前記第１の放出モードにおいて動作させるときに、前記シングルパス熱交換器を通して前記第１の貯蔵媒体からの放出を行うステップと、その後に前記第１の貯蔵媒体が層化できるようにするステップとを含む請求項２１に記載の方法。
【請求項２４】
前記第２の熱力学回路がシングルパス熱交換器を備え、
前記装置を前記第２の放出モードにおいて動作させるときに、前記シングルパス熱交換器を通して前記第２の貯蔵媒体からの放出を行うステップと、その後に前記第２の貯蔵媒体が層化できるようにするステップとを含む請求項２１に記載の方法。
【請求項２５】
前記装置が、前記第１の膨張器及び前記第２の膨張器から出力されるエネルギーとは別にエネルギーを出力する付加的なエネルギー貯蔵手段を備え、
必要に応じて、
前記付加的なエネルギー貯蔵手段は、キャパシタ、電池、フライホイール又は他の非熱的であって電気的若しくは機械的なエネルギー貯蔵手段を含み、
及び／又は、
前記方法は、前記第１の放出モード及び前記第２の放出モードのいずれか又は両方によって出力されるエネルギーが所定の量に達するまで、前記付加的なエネルギー貯蔵手段を用いて電気エネルギーの出力を提供するステップを含む、
請求項２１に記載の方法。
【請求項２６】
第１の作動流体又は第２の作動流体を前記第１の膨張器及び前記第２の膨張器のいずれか又は両方に導入する前に、前記第１の膨張器及び前記第２の膨張器のいずれか又は両方を駆動するステップを含む請求項２１に記載の方法。
【請求項２７】
前記装置が、前記第１の膨張器の入力に接続される第１の配管を備え、前記方法は、前記第１の放出モードの動作前にガス状の第１の作動流体により前記第１の配管を加圧するステップを含み、
及び／又は、
前記装置が、前記第２の膨張器の入力に接続される第２の配管を備え、前記方法は、前記第２の放出モードの動作前にガス状の第２の作動流体により前記第２の配管を加圧するステップを含む、
請求項２１に記載の方法。 
【手続補正２】
【補正対象書類名】明細書
【補正対象項目名】０２３８
【補正方法】変更
【補正の内容】
【０２３８】
読み手の注意は、本出願に関連して、本明細書と同時に又は先立って提出され、かつ本明細書とともに公衆の閲覧に付される、全ての論文及び書類に向けられるものであり、全てのこのような論文及び書類の中身は、引用することにより本明細書の一部をなすものとする。
なお、特願２０１９−５１０３２０の出願当初の特許請求の範囲は以下のとおりである。
［請求項１］
熱力学サイクル装置であって、
（ｉ）第１の貯蔵媒体を収容する第１のリザーバと、
（ｉｉ）第２の貯蔵媒体を収容する第２のリザーバと、
（ｉｉｉ）前記第１のリザーバに熱結合され、前記第１の貯蔵媒体を冷却する低温部と、前記第２のリザーバに熱結合され、前記第２の貯蔵媒体を加熱する高温部とを有するヒートポンプと、
（ｉｖ）第１の作動流体の、第１の熱力学回路であって、
前記第１の作動流体を気化させて、第１の加圧蒸気を生成する第１の蒸発器と、
前記第１の加圧蒸気を膨張させる第１の膨張器と、
前記第１の膨張器から受けた第１の作動流体を凝縮し、第１の作動流体を前記第１の蒸発器に与える第１の凝縮器であって、前記第１の凝縮器は前記第１のリザーバに熱結合される、第１の凝縮器と
を備える第１の熱力学回路と、
（ｖ）第２の作動流体の、第２の熱力学回路であって、
前記第２の作動流体を気化させて、第２の加圧蒸気を生成する第２の蒸発器であって、前記第２の蒸発器は前記第２のリザーバに熱結合される、第２の蒸発器と、
前記第２の加圧蒸気を膨張させる第２の膨張器と、
前記第２の膨張器から受けた第２の作動流体を凝縮し、第２の作動流体を前記第２の蒸発器に与える第２の凝縮器と
を備える第２の熱力学回路と、
（ｖｉ）前記第１の熱力学回路に熱的に接続され、補助熱が前記第１の加圧蒸気の生成に寄与できるようにする補助熱入力手段と、
（ｖｉｉ）前記第２の熱力学回路に熱的に接続され、前記第２の作動流体から補助ヒートシンクへと熱を逃がすことができるようにする補助熱出力手段と
を備え、
前記第１の熱力学回路は前記第２の熱力学回路から熱的に独立しており、前記装置は、充填モードと貯蔵モードと放出モードとにおいて動作可能であり、
前記充填モードでは、前記ヒートポンプにエネルギーが加えられて、前記第１の貯蔵媒体が冷却され、前記第２の貯蔵媒体が加熱され、
前記貯蔵モードでは、冷却された第１の貯蔵媒体が前記第１のリザーバに貯蔵され、加熱された第２の貯蔵媒体が前記第２のリザーバに貯蔵され、
前記放出モードでは、前記第１の加圧蒸気が前記第１の膨張器により膨張し、及び／又は前記第２の加圧蒸気が前記第２の膨張器により膨張する、
熱力学サイクル装置。
［請求項２］
前記第１の膨張器及び前記第２の膨張器のうちの一方又は両方が、タービン、スクロール膨張器、スクリュー膨張器、テスラタービン又は往復機関を含む、請求項１に記載の装置。
［請求項３］
前記第１の膨張器及び前記第２の膨張器のうちの一方又は両方が、発電するための膨張器発電機を含む、請求項１又は２に記載の装置。
［請求項４］
前記第１の熱力学回路及び前記第２の熱力学回路のうちの一方又は両方が、第１の作動流体又は第２の作動流体を循環させるポンプを含む、請求項１〜３のいずれか一項に記載の装置。
［請求項５］
前記第１の凝縮器は前記第１の熱力学回路内のポンプを介して、第１の作動流体を前記第１の蒸発器に与え、及び／又は前記第２の凝縮器は前記第２の熱力学回路内のポンプを介して、第２の作動流体を前記第２の蒸発器に与える、請求項４に記載の装置。
［請求項６］
前記第１の熱力学回路内のポンプと前記第２の熱力学回路内のポンプとのいずれか又は両方は、遠心ポンプと、スライディングベーンポンプと、ジェロータポンプと、ジェローラポンプと、ギアポンプと、ダイヤフラムポンプと、ピストンポンプと、プランジャポンプと、蠕動ポンプと、ローブポンプとから選択される、請求項３又は４に記載の装置。
［請求項７］
複数のポンプを備え、前記複数のポンプは共通のシャフトに取り付けられる、請求項４〜６のいずれか一項に記載の装置。
［請求項８］
前記第１の膨張器及び前記第２の膨張器の一方が前記共通のシャフトに取り付けられる、請求項７に記載の装置。
［請求項９］
前記第１の膨張器及び前記第２の膨張器が共通のシャフトに取り付けられる、請求項１〜６のいずれか一項に記載の装置。
［請求項１０］
前記補助熱入力手段を介して前記補助熱を前記第１の熱力学回路に与える補助熱源を更に備える請求項１〜９のいずれか一項に記載の装置。
［請求項１１］
前記補助熱源は、外部環境空気源と、建物内部からの空気源と、空調システム又は冷凍システムから廃棄される熱と、周囲水源と、地表源と、地熱源と、太陽熱源と、太陽池と、生物活性熱源と、工業プロセスからの廃熱と、発電技術の廃熱とのうちの１つ以上を含む、請求項１０に記載の装置。
［請求項１２］
前記第２の熱力学回路から前記補助熱出力手段を介して熱を受け取る補助ヒートシンクを更に備える請求項１〜１１のいずれか一項に記載の装置。
［請求項１３］
前記補助ヒートシンクは、外部環境空気源と、建物内部からの空気源と、周囲水源と、地表源と、廃冷源とのうちの１つ以上を含む、請求項１２に記載の装置。
［請求項１４］
前記第２の熱力学回路が付加的な補助熱入力手段を備え、付加的な補助熱が前記第２の加圧蒸気の生成に寄与しうる、請求項１〜１３のいずれか一項に記載の装置。
［請求項１５］
前記付加的な補助熱入力手段を介して前記付加的な補助熱を前記第２の熱力学回路に与える付加的な補助熱源を更に備える請求項１４に記載の装置。
［請求項１６］
前記第１の蒸発器と前記第１の膨張器との間に第１の過熱器を更に備え、前記第１の過熱器は前記第１の作動流体を過熱する、請求項１〜１５のいずれか一項に記載の装置。
［請求項１７］
前記第２の蒸発器と前記第２の膨張器との間に第２の過熱器を更に備え、前記第２の過熱器は前記第２の作動流体を過熱する、請求項１〜１６のいずれか一項に記載の装置。
［請求項１８］
前記第２の凝縮器と前記第２の蒸発器との間に予熱器を更に備え、前記予熱器は前記第２の作動流体を加熱する、請求項１〜１７のいずれか一項に記載の装置。
［請求項１９］
前記第１の貯蔵媒体及び前記第２の貯蔵媒体の一方又は両方が、カプセル化された相変化材料又はカプセル化されていない相変化材料を含む、請求項１〜１８のいずれか一項に記載の装置。
［請求項２０］
前記ヒートポンプの低温部は、第１の熱伝達流体の第１の熱伝達回路によって前記第１のリザーバに熱結合される、請求項１〜１９のいずれか一項に記載の装置。
［請求項２１］
前記第１の貯蔵媒体はカプセル化されていない相変化材料を含み、前記第１の熱伝達流体は前記第１の貯蔵媒体内に混和できないものである、請求項１９を引用する請求項２０に記載の装置。
［請求項２２］
前記ヒートポンプの高温部は、第２の熱伝達流体の第２の熱伝達回路によって、前記第２のリザーバに熱結合される、請求項１〜２１のいずれか一項に記載の装置。
［請求項２３］
前記第２の貯蔵媒体はカプセル化されていない相変化材料を含み、前記第２の熱伝達流体は前記第２の貯蔵媒体内に混和できないものである、請求項１９を引用する請求項２２に記載の装置。
［請求項２４］
前記第１のリザーバは第３の熱伝達流体の第３の熱伝達回路によって、前記第１の熱力学回路内の凝縮器に熱結合される、請求項１〜２３のいずれか一項に記載の装置。
［請求項２５］
前記第３の熱伝達流体は前記第１の熱伝達流体と同じである、請求項２０を引用する請求項２４に記載の装置。
［請求項２６］
前記第２のリザーバは、第４の熱伝達流体の第４の熱伝達回路によって、前記第２の熱力学回路内の蒸発器に熱結合される、請求項１〜２５のいずれか一項に記載の装置。
［請求項２７］
前記第４の熱伝達流体は前記第２の熱伝達流体と同じである、請求項２２を引用する請求項２６に記載の装置。
［請求項２８］
前記ヒートポンプが冷媒の冷凍回路を備える、請求項１〜２７のいずれか一項に記載の装置。
［請求項２９］
前記冷凍回路は、冷凍圧縮器と、冷凍蒸発器と、冷凍凝縮器又はガス冷却器と、前記冷媒を膨張させる冷凍膨張手段とを有し、
前記ヒートポンプの低温部が前記冷凍蒸発器を備え、
前記ヒートポンプの高温部が前記冷凍凝縮器又は前記ガス冷却器を備える、
請求項２８に記載の装置。
［請求項３０］
前記冷凍膨張手段が冷凍膨張弁又は冷媒膨張器を含む、請求項２９に記載の装置。
［請求項３１］
前記第１の貯蔵媒体及び前記第２の貯蔵媒体のいずれか又は両方が、前記充填モード、前記貯蔵モード及び前記放出モードのいずれかにおける前記装置の動作中に相が変わらない液体を含む、請求項１〜３０のいずれか一項に記載の装置。
［請求項３２］
前記第１の貯蔵媒体の、攪拌及び再循環のいずれか又は両方を行って前記第１のリザーバ内の温度を均等化し、層化を抑制する手段を備え、及び／又は、前記第２の貯蔵媒体の、攪拌及び再循環のいずれか又は両方を行って前記第２のリザーバ内の温度を均等化し、層化を抑制する手段を備える請求項３１に記載の装置。
［請求項３３］
前記第１のリザーバ及び前記第２のリザーバのいずれか又は両方が、一次側容器及び二次側容器を備える、請求項１〜３２のいずれか一項に記載の装置。
［請求項３４］
前記第１の貯蔵媒体は、
前記装置が前記充填モードにおいて動作するときに、前記一次側の第１の容器から前記二次側の第１の容器へと移動可能であり、
前記装置が前記放出モードにおいて動作するときに、前記二次側の第１の容器から前記一次側の第１の容器へと移動可能な液体である、請求項３３に記載の装置。
［請求項３５］
前記第２の貯蔵媒体は、
前記装置が前記充填モードにおいて動作するときに、前記一次側の第２の容器から前記二次側の第２の容器へと移動可能であり、
前記装置が前記放出モードにおいて動作するときに、前記二次側の第２の容器から前記一次側の第２の容器へと移動可能な液体である、請求項３３又は３４に記載の装置。
［請求項３６］
前記第１のリザーバ及び前記第２のリザーバのいずれか又は両方に配置される１つ以上の熱交換器を更に備える請求項１〜３５のいずれか一項に記載の装置。
［請求項３７］
付加的な補助ヒートシンク手段を更に備え、前記付加的な補助ヒートシンク手段に熱的に接続される付加的な補助ヒートシンクが前記第１の加圧蒸気の凝縮に寄与しうるものである、請求項１〜３６のいずれか一項に記載の装置。
［請求項３８］
前記付加的な補助ヒートシンク手段に熱的に接続される付加的な補助ヒートシンクを更に備える請求項３７に記載の装置。
［請求項３９］
前記第１の膨張器及び前記第２の膨張器から出力されるエネルギーとは別にエネルギーを出力する付加的なエネルギー貯蔵手段を更に備える請求項１〜３８のいずれか一項に記載の装置。
［請求項４０］
前記付加的なエネルギー貯蔵手段は、キャパシタ、電池、フライホイール又は他の非熱的であって電気的若しくは機械的なエネルギー貯蔵手段を含む、請求項３９に記載の装置。
［請求項４１］
前記第１の熱力学回路及び前記第２の熱力学回路の一方又は両方が、ランキンサイクル、ローレンツサイクル又はカリーナサイクルを含む、請求項１〜４０のいずれか一項に記載の装置。
［請求項４２］
前記第１の貯蔵媒体及び前記第２の貯蔵媒体の一方又は両方が、−５０℃〜２００℃、又は−３０℃〜１００℃の温度において貯蔵される、請求項１〜４１のいずれか一項に記載の装置。
［請求項４３］
熱力学回路サイクル装置を動作させる方法であって、
（ａ）熱力学回路サイクル装置を設けるステップであって、前記熱力学回路サイクル装置は、
（ｉ）第１の貯蔵媒体を収容する第１のリザーバと、
（ｉｉ）第２の貯蔵媒体を収容する第２のリザーバと、
（ｉｉｉ）前記第１のリザーバに熱結合され、前記第１の貯蔵媒体を冷却する低温部と、前記第２のリザーバに熱結合され、前記第２の貯蔵媒体を加熱する高温部とを有するヒートポンプと、
（ｉｖ）第１の作動流体の、第１の熱力学回路であって、
前記第１の作動流体を気化させて、第１の加圧蒸気を生成する第１の蒸発器と、
前記第１の加圧蒸気を膨張させる第１の膨張器と、
前記第１の膨張器から受けた第１の作動流体を凝縮し、第１の作動流体を前記第１の蒸発器に与える第１の凝縮器であって、前記第１の凝縮器は前記第１のリザーバに熱結合される、第１の凝縮器と
を備える第１の熱力学回路と、
（ｖ）第２の作動流体の、第２の熱力学回路であって、
前記第２の作動流体を気化させて、第２の加圧蒸気を生成する第２の蒸発器であって、前記第２の蒸発器は前記第２のリザーバに熱結合される、第２の蒸発器と、
前記第２の加圧蒸気を膨張させる第２の膨張器と、
前記第２の膨張器から受けた第２の作動流体を凝縮し、第２の作動流体を前記第２の蒸発器に与える第２の凝縮器と
を備える第２の熱力学回路と
を有する、ステップと、
（ｂ）前記ヒートポンプにエネルギーを加えて、前記第１の貯蔵媒体を冷却し、前記第２の貯蔵媒体を加熱することによって、前記装置を充填モードにおいて動作させるステップと、
（ｃ）冷却された第１の貯蔵媒体を前記第１のリザーバ内に貯蔵し、加熱された第２の貯蔵媒体を前記第２のリザーバ内に貯蔵することによって、前記装置を貯蔵モードにおいて動作させるステップと、
（ｄ）補助熱源を使用して、前記第１の蒸発器において前記第１の加圧蒸気を生成し、前記第１の膨張器により前記第１の加圧蒸気を膨張させ、前記第１の凝縮器において前記第１の作動流体を凝縮することによって、前記装置を第１の放出モードにおいて動作させるステップと、
（ｅ）前記第２のリザーバからの熱を使用して、前記第２の蒸発器において前記第２の加圧蒸気を生成し、前記第２の加圧蒸気を膨張させ、補助ヒートシンクを使用して、前記第２の凝縮器において前記第２の作動流体を凝縮することによって、前記装置を第２の放出モードにおいて動作させるステップと
を含み、
ステップ（ｄ）及び（ｅ）は同時に、かつ互いに独立して実行可能である、方法。
［請求項４４］
前記第１の膨張器及び前記第２の膨張器のうちの一方又は両方が、タービン、スクロール膨張器、スクリュー膨張器、テスラタービン又は往復機関を含み、前記タービンは必要に応じて、ラジアルタービン、軸流タービン又は衝動タービンとすることができる、請求項４３に記載の方法。
［請求項４５］
前記第１の膨張器及び前記第２の膨張器のうちの一方又は両方が、発電するための膨張器発電機を含む、請求項４３又は４４に記載の方法。
［請求項４６］
前記第１の熱力学回路及び前記第２の熱力学回路のうちの一方又は両方が、第１の作動流体又は第２の作動流体を循環させるポンプを含む、請求項４３〜４５のいずれか一項に記載の方法。
［請求項４７］
前記第１の熱力学回路内のポンプを用いて、第１の作動流体を前記第１の凝縮器から前記第１の蒸発器に与えるステップと、
前記第２の熱力学回路内のポンプを用いて、第２の作動流体を前記第２の凝縮器から前記第２の蒸発器に与えるステップと
のいずれか又は両方を含む請求項４６に記載の方法。
［請求項４８］
前記第１の熱力学回路内のポンプと前記第２の熱力学回路内のポンプとのいずれか又は両方は、遠心ポンプと、スライディングベーンポンプと、ジェロータポンプと、ジェローラポンプと、ギアポンプと、ダイヤフラムポンプと、ピストンポンプと、プランジャポンプと、蠕動ポンプと、ローブポンプとから選択される、請求項４６又は４７に記載の方法。
［請求項４９］
前記装置が複数のポンプを備え、前記複数のポンプが共通のシャフトに取り付けられる、請求項４６〜４８のいずれか一項に記載の方法。
［請求項５０］
前記第１の膨張器及び前記第２の膨張器の一方が前記共通のシャフトに取り付けられる、請求項４９に記載の方法。
［請求項５１］
前記第１の膨張器及び前記第２の膨張器が共通のシャフトに取り付けられる、請求項４３〜４８のいずれか一項に記載の方法。
［請求項５２］
前記装置が、補助熱入力手段を介して前記第１の熱力学回路に補助熱を与える補助熱源を備える、請求項４３〜５１のいずれか一項に記載の方法。
［請求項５３］
前記補助熱源は、外部環境空気源と、建物内部からの空気源と、空調システム又は冷凍システムから廃棄される熱と、周囲水源と、地表源と、地熱源と、太陽熱源と、太陽池と、生物活性熱源と、工業プロセスからの廃熱と、発電技術の廃熱とのうちの１つ以上を含む、請求項５２に記載の方法。
［請求項５４］
前記装置が補助ヒートシンクを備え、
前記補助ヒートシンクを用いて、前記第２の熱力学回路から補助熱出力手段を介して熱を受けるステップを含む請求項４３〜５３のいずれか一項に記載の方法。
［請求項５５］
前記補助ヒートシンクは、外部環境空気源と、建物内部からの空気源と、周囲水源と、地表源と、廃冷源とのうちの１つ以上を含む、請求項５４に記載の方法。
［請求項５６］
前記第２の熱力学回路が付加的な補助熱入力手段を備え、付加的な補助熱が前記第２の加圧蒸気の生成に寄与しうる、請求項４３〜５５のいずれか一項に記載の方法。
［請求項５７］
前記装置が付加的な補助熱源を備え、
前記補助熱源からの熱を用いて、前記充填モードと前記貯蔵モードと前記第１の放出モードと前記第２の放出モードとのいずれかにおいて前記第２の加圧蒸気の生成に寄与するステップを含む請求項５６に記載の方法。
［請求項５８］
前記装置が前記第１の蒸発器と前記第１の膨張器との間に第１の過熱器を備え、
前記第１の過熱器を用いて前記第１の作動流体を過熱するステップを含む請求項４３〜５７のいずれか一項に記載の方法。
［請求項５９］
前記装置が前記第２の蒸発器と前記第２の膨張器との間に第２の過熱器を備え、
前記第２の過熱器を用いて前記第２の作動流体を過熱するステップを含む請求項４３〜５８のいずれか一項に記載の方法。
［請求項６０］
前記装置が前記第２の凝縮器と前記第２の蒸発器との間に予熱器を備え、
前記予熱器を用いて前記第２の作動流体を加熱するステップを含む請求項４３〜５９のいずれか一項に記載の方法。
［請求項６１］
前記第１の貯蔵媒体及び前記第２の貯蔵媒体の一方又は両方が、カプセル化された相変化材料又はカプセル化されていない相変化材料を含む、請求項４３〜６０のいずれか一項に記載の方法。
［請求項６２］
前記第１の貯蔵媒体がカプセル化されていない材料を含み、
前記充填モードの動作の終了時にスラリー又は断片化可能な固体として前記第１の貯蔵媒体を貯蔵するステップを含む請求項６１に記載の方法。
［請求項６３］
前記第２の貯蔵媒体はカプセル化されていない材料を含み、
前記第２の放出モードの動作の終了時にスラリー又は断片化可能な固体として前記第２の貯蔵媒体を貯蔵するステップを含む請求項６１又は６２に記載の方法。
［請求項６４］
前記ヒートポンプの低温部が、第１の熱伝達流体の第１の熱伝達回路によって前記第１のリザーバに熱結合される、請求項４３〜６３のいずれか一項に記載の方法。
［請求項６５］
前記第１の貯蔵媒体が、カプセル化されていない相変化材料を含み、前記第１の熱伝達流体は前記第１の貯蔵媒体内で混和できないものである、請求項６３を引用する請求項６４に記載の方法。
［請求項６６］
前記ヒートポンプの高温部は、第２の熱伝達流体の第２の熱伝達回路によって前記第２のリザーバに熱結合される、請求項４３〜６５のいずれか一項に記載の方法。
［請求項６７］
前記第２の貯蔵媒体はカプセル化されていない相変化材料を含み、前記第２の熱伝達流体は前記第２の貯蔵媒体内で混和できないものである、請求項６３を引用する請求項６６に記載の方法。
［請求項６８］
前記第１のリザーバは、第３の熱伝達流体の第３の熱伝達回路によって前記第１の熱力学回路内の凝縮器に熱結合される、請求項４３〜６７のいずれか一項に記載の方法。
［請求項６９］
前記第３の熱伝達流体が前記第１の熱伝達流体と同じである、請求項６４を引用する請求項６８に記載の方法。
［請求項７０］
前記第２のリザーバは、第４の熱伝達流体の第４の熱伝達回路によって前記第２の熱力学回路内の蒸発器に熱結合される、請求項４３〜６９のいずれか一項に記載の方法。
［請求項７１］
前記第４の熱伝達流体が前記第２の熱伝達流体と同じである、請求項６６を引用する請求項７０に記載の方法。
［請求項７２］
前記ヒートポンプが冷媒の冷凍回路を備える、請求項４３〜７１のいずれか一項に記載の方法。
［請求項７３］
前記冷凍回路は、冷凍圧縮器と、冷凍蒸発器と、冷凍凝縮器又はガス冷却器と、前記冷媒を膨張させる冷凍膨張手段とを含み、
前記ヒートポンプの低温部は前記冷凍蒸発器を備え、
前記ヒートポンプの高温部は前記冷凍凝縮器又は前記ガス冷却器を備える、
請求項７２に記載の方法。
［請求項７４］
前記冷凍膨張手段が冷凍膨張弁又は冷媒膨張器を含む、請求項７３に記載の方法。
［請求項７５］
前記第１の貯蔵媒体及び前記第２の貯蔵媒体のいずれか又は両方が、前記充填モード、前記貯蔵モード及び前記放出モードのいずれかにおける前記装置の動作中に相が変わらない液体を含む、請求項４３〜７４のいずれか一項に記載の方法。
［請求項７６］
前記装置が、前記第１の貯蔵媒体又は前記第２の貯蔵媒体の、攪拌及び再循環のいずれか又は両方を行う手段を備え、
前記充填モードにおいて、前記第１の貯蔵媒体又は前記第２の貯蔵媒体の、攪拌及び再循環のいずれか又は両方を行い、前記第１のリザーバ又は前記第２のリザーバ内の温度を均等化し、層化を抑制するステップを含む請求項７５に記載の方法。
［請求項７７］
前記第１のリザーバ及び前記第２のリザーバのいずれか又は両方が、一次側容器及び二次側容器を備える、請求項４３〜７６のいずれか一項に記載の方法。
［請求項７８］
前記第１の貯蔵媒体が液体であり、
前記装置が前記充填モードにおいて動作するときに、前記第１の貯蔵媒体を前記一次側の第１の容器から前記二次側の第１の容器へと移動させるステップと、
前記装置が前記放出モードにおいて動作するときに、前記第１の貯蔵媒体を前記二次側の第１の容器から前記一次側の第１の容器へと移動させるステップと
を含む請求項７７に記載の方法。
［請求項７９］
前記第２の貯蔵媒体が液体であり、
前記装置が前記充填モードにおいて動作するときに、前記第２の貯蔵媒体を前記一次側の第２の容器から前記二次側の第２の容器へと移動させるステップと、
前記装置が前記放出モードにおいて動作するときに、前記第２の貯蔵媒体を前記二次側の第２の容器から前記一次側の第２の容器へと移動させるステップと
を含む請求項７７又は７８に記載の方法。
［請求項８０］
前記装置が、前記第１のリザーバ及び前記第２のリザーバのいずれか又は両方に配置された１つ以上の熱交換器を備える、請求項４３〜７９のいずれか一項に記載の方法。
［請求項８１］
前記装置が付加的な補助熱出力手段を備え、
前記付加的な補助熱出力手段に熱的に接続される付加的な補助ヒートシンクが第１の加圧蒸気の凝縮に寄与しうる、請求項４３〜８０のいずれか一項に記載の方法。
［請求項８２］
前記装置が前記付加的な補助熱出力手段に熱的に接続される付加的な補助ヒートシンクを備え、
前記付加的な補助ヒートシンクを用いて、前記第１の加圧蒸気の凝縮に寄与するステップを含む請求項８１に記載の方法。
［請求項８３］
前記第１の熱力学回路がシングルパス熱交換器を備え、
前記装置を前記第１の放出モードにおいて動作させるときに、前記シングルパス熱交換器を通して前記第１の貯蔵媒体からの放出を行うステップと、その後に前記第１の貯蔵媒体が層化できるようにするステップとを含む請求項４３〜８２のいずれか一項に記載の方法。
［請求項８４］
前記第２の熱力学回路がシングルパス熱交換器を備え、
前記装置を前記第２の放出モードにおいて動作させるときに、前記シングルパス熱交換器を通して前記第２の貯蔵媒体からの放出を行うステップと、その後に前記第２の貯蔵媒体が層化できるようにするステップとを含む請求項４３〜８３のいずれか一項に記載の方法。
［請求項８５］
前記装置が、前記第１の膨張器及び前記第２の膨張器から出力されるエネルギーとは別にエネルギーを出力する付加的なエネルギー貯蔵手段を備える、請求項４３〜８４のいずれか一項に記載の方法。
［請求項８６］
前記付加的なエネルギー貯蔵手段は、キャパシタ、電池、フライホイール又は他の非熱的であって電気的若しくは機械的なエネルギー貯蔵手段を含む、請求項８５に記載の方法。
［請求項８７］
前記第１の放出モード及び前記第２の放出モードのいずれか又は両方によって出力されるエネルギーが所定の量に達するまで、前記付加的なエネルギー貯蔵手段を用いて電気エネルギーの出力を提供するステップを含む請求項８５又は８６に記載の方法。
［請求項８８］
第１の作動流体又は第２の作動流体を前記第１の膨張器及び前記第２の膨張器のいずれか又は両方に導入する前に、前記第１の膨張器及び前記第２の膨張器のいずれか又は両方を駆動するステップを含む請求項４３〜８７のいずれか一項に記載の方法。
［請求項８９］
前記装置が、前記第１の膨張器の入力に接続される第１の配管を備え、
前記第１の放出モードの動作前にガス状の第１の作動流体により前記第１の配管を加圧するステップを含む請求項４３〜８８のいずれか一項に記載の方法。
［請求項９０］
前記装置が、前記第２の膨張器の入力に接続される第２の配管を備え、
前記第２の放出モードの動作前にガス状の第２の作動流体により前記第２の配管を加圧するステップを含む請求項４３〜８９のいずれか一項に記載の方法。
［請求項９１］
前記第１の熱力学回路及び前記第２の熱力学回路の一方又は両方が、ランキンサイクル、ローレンツサイクル又はカリーナサイクルを含む、請求項４３〜９０のいずれか一項に記載の方法。
［請求項９２］
前記第１の貯蔵媒体及び前記第２の貯蔵媒体の一方又は両方を、前記貯蔵モードにおいて−５０℃〜２００℃の温度、又は−３０℃〜１００℃の温度において貯蔵するステップを含む請求項４３〜９１のいずれか一項に記載の方法。
［請求項９３］
添付の図面を参照してこれまでに実質的に示した装置又は方法。